(57)【要約】      （修正有）【課題】簡易な構成で、冷却部の各基盤間に均一な水分量を供給する給水構造を提供する。【解決手段】多孔質プラスチック基盤を垂直に立てて所定の間隔で多数配列してドライ・チャネルとウエット・チャネルを形成してなる冷却部の上にウエット・チャネル内に水を供給する給水部が形成され、底面に多数の滴下孔を穿って下方に鋭角状の突起を配列してある給水シート、給水シート１の上に載置する多孔質部材で成形してある保水マット層２、保水マット層２の上に水を給水する多数の散水口を備えた給水管３、および給水シートを支持し、冷却部上に配置する給水シート受け枠１０とからなる。【選択図】図１
0003157602.tif 000002
【実用新案登録請求の範囲】
【請求項１】
気化現象を生じさせる為のウエット・チャネルと、被冷却空気を通すドライ・チャネルとの間に基盤を配置し、これらウエット・チャネルとドライ・チャネルとを交互に配置するように積層して配列し、前記ウエット・チャネル内の気化現象により基盤を冷却し、熱交換をさせて前記ドライ・チャネルに流入した空気を冷却する間接式気化式冷却装置において、多孔質プラスチック基盤を垂直に立てて所定の間隔で多数配列してドライ・チャネルとウエット・チャネルを形成してなる冷却部の上にウエット・チャネル内に水を供給する給水部がプラスチック材または金属素材から形成され、底面に多数の滴下孔を穿って下方に鋭角状の突起を配列してある給水シート、この給水シートの上に載置する多孔質部材で成形してある保水マット層、この保水マット層の上に水を給水する多数の散水口を備えた給水管、および上記給水シートを支持し、前記冷却部上に配置する木枠とからなることを特徴とする給水構造。
【請求項２】
前記給水シートに設けた滴下孔が円形又は三角形状であることを特徴とする請求項１に記載の給水構造。
【請求項３】
前記保水マット層の水量を検出する測定器を備え、常時適量の水が保水マット層に存在するようにしたことを特徴とする請求項１または請求項２に記載の給水構造。
【請求項４】
気化現象を生じさせる為のウエット・チャネルと、被冷却空気を通すドライ・チャネルとの間多孔質プラスチックからなる基盤を配置し、これらウエット・チャネルとドライ・チャネルとを交互に配置するように積層して配列し、前記ウエット・チャネル内の気化現象により基盤を冷却し、熱交換をさせて前記ドライ・チャネルに流入した空気を冷却する間接式気化式冷却装置で、前記ウエット・チャネル及びドライ・チャネルの前記基盤の片面に形成した流線型形状のスペーサーを配列して基盤の間隔を規制し、これらスペーサー間の基盤面にエンボスによる多数の凸部を形成して裏面にくぼみを配列形成し、この基盤のウエット・チャネル側面に繊維を植毛し、前記ウエット・チャネル内の空気の流れと前記ドライ・チャネル内の空気の流れを向流とし、ウエット・チャネルを通過した空気を前記基盤に設けた排気口より排気するとともに前記ドライ・チャネルを通過した被冷却空気を室内に給気し、前記ウエット・チャネルの上部に配置した給水部と前記基盤の下端を水槽に浸漬し、この基盤の上下から水を供給するユニットを１個または複数個を配置してあることを特徴とした間接式気化式冷却装置。
【請求項５】
前記給水部の給水構造において、
多孔質プラスチック基盤を垂直に立てて所定の間隔で多数配列してドライ・チャネルとウエット・チャネルを形成してなる冷却部の上にウエット・チャネル内に水を供給する給水部がプラスチック材または金属素材から形成され、底面に多数の滴下孔を穿って下方に鋭角状の突起を配列してある給水シート、この給水シートの上に載置する多孔質部材で成形してある保水マット層、この保水マット層の上に水を給水する多数の散水口を備えた給水管、および上記給水シートを支持し、前記冷却部上に配置する木枠とからなる給水構造であることを特徴とする請求項４に記載の間接式気化式冷却装置。
【考案の詳細な説明】
【技術分野】
【０００１】  本考案は、間接式気化式冷却器に使用する加湿冷却ゾーン（ウエット・チャネル）と被冷却空気ゾーン（ドライ・チャネル）とが基盤を介在して交互に配置して被冷却空気ゾーンの空気を冷却する間接気化式冷却装置の給水構造に関する。
【背景技術】
【０００２】  水の気化熱を利用して空気を冷却する方法は古くから使用されている。しかし、水を気化させる通路に配置された基板とこれに隣接する通路に送入される流体との熱交換の効率は悪く、実用的ではなかった。この熱交換効率を改善したものとして特開２００４−５１３３２００９年１０月２１日号公報他いくつかの特許が発明され、実用化されている。
【先行技術文献】
【０００３】
【特許文献１】  特表２００４−５１３３２０号公報
【特許文献２】  特開２００７−１４７１１７号公報
【０００４】  特許文献１の発明は、下部に配置した水槽から水を基盤内に吸い上げられた水を気化するウエットサイドを通過させる気体の流れとこのウエットサイドの隣接するドライサイド（被冷却流体を通過させる）を通過する流体を熱交換により冷却するが、このウエットサイドに供給する水は、縦または水平に配置した基盤群の上から散水または給水管から供給する方法である。これでは基盤の全面に均一に散水できなく、基盤への水の供給が適切でなく熱交換率の良いものではなかった。また、特許文献２に記載される発明の冷却装置は、供給する給水構造として上方に配置した給水管に設けた噴射口から水を噴射するのであったが、基盤の各ウエット・チャネルへ均一な水の供給ができなかったので熱効率の悪いものであった。特許文献１，２に記載されるように、所定の間隔で基盤を並べて形成したウエット・チャネル内に水を供給する方法として、上から水を散水する方法と、水を溜めた水槽に基盤を垂直に立てて、基盤の毛細管現象で吸い上げる方法があるが、いずれも各ウエット・チャネル内に均一に水を供給することができなかったので、熱交換率が安定したものではなかった。
【考案の概要】
【考案が解決しようとする課題】
【０００５】  従来の間接式気化式冷却装置において、水槽から吸い上げる方法では各基盤ごとに水分の量がばらつき、更に、基盤の上側まで水分を十分に供給する事はできなかった。そこで基盤の上方から給水する方法が行われているが、各ウエット・チャネル内に均等に水を供給することができなかった。これを改善するために本考案の考案者は上から各ウエット・チャネル内に均等に水を供給することが可能で、かつ水槽からの吸い上げ方式とを兼ね備えて上下両方からの給水により充分な水の供給が行われ、基盤全面に確実に均一な給水を行う給水構造を提供する。【０００６】  本考案の間接式気化式冷却装置の給水構造は、上記の問題点を改善すべく改良工夫することを課題としたものである。
本考案は、前記従来の間接式気化式冷却装置における冷却効率を改善し、コンパクトな装置を提供することである。特に、ウエット・チャネル内に供給する水の簡易な供給構造について提案する。気化現象を起こさせる為に必要な使用水量を最小限に抑える給水構造を提供する。
本考案の課題は、多孔質プラスチックシートの基盤に上方からの給水でより効果的な給水ができる給水構造を提供することである。
本考案の前記課題は、給水構造が簡易な構造でコンパクトな、冷却効率のよい、ユニット方式による廉価な間接式気化式冷却装置を提供することである。
【課題を解決するための手段】
【０００７】  本考案の課題は、以下の構成によって達成できる。
気化現象を生じさせる為のウエット・チャネルと、被冷却空気を通すドライ・チャネルとの間に基盤を配置し、これらウエット・チャネルとドライ・チャネルとを交互に配置するように積層して配列し、前記ウエット・チャネル内の気化現象により基盤を冷却し、熱交換をさせて前記ドライ・チャネルに流入した空気を冷却する間接式気化式冷却装置において、多孔質プラスチック基盤を垂直に立てて所定の間隔で多数配列してドライ・チャネルとウエット・チャネルを形成してなる冷却部の上にウエット・チャネル内に水を供給する給水部が、プラスチック材または金属素材から形成され、底面に多数の滴下孔を穿って下方に鋭角状の突起を配列してある給水シート、この給水シートの上に載置する多孔質部材で成形してある保水マット層、この保水マット層の上に水を給水する多数の散水口を備えた給水管、および上記給水シートを支持し、前記冷却部上に配置する給水枠とからなる給水構造である。【０００８】  前記給水シートに設けた滴下孔が円形又は三角形状とした構造、また、前記保水マット層の水量を検出する測定器を備え、常時適量の水が保水マット層に存在するようにした給水構造によって達成できる。【０００９】  本考案の前記課題は、気化現象を生じさせる為のウエット・チャネルと、被冷却空気を通すドライ・チャネルとの間多孔質プラスチックからなる基盤を配置し、これらウエット・チャネルとドライ・チャネルとを交互に配置するように積層して配列し、前記ウエット・チャネル内の気化現象により基盤を冷却し、熱交換をさせて前記ドライ・チャネルに流入した空気を冷却する間接式気化式冷却装置で、前記ウエット・チャネル及びドライ・チャネルの前記基盤の片面に形成した流線型形状のスペーサーを配列して基盤の間隔を規制し、これらスペーサー間の基盤面にエンボスによる多数の凸部を形成して裏面にくぼみを配列形成し、この基盤のウエット・チャネル側面に繊維を植毛し、前記ウエット・チャネル内の空気の流れと前記ドライ・チャネル内の空気の流れを向流とし、ウエット・チャネルを通過した空気を前記基盤に設けた排気口より排気するとともに前記ドライ・チャネルを通過した被冷却空気を室内に給気し、前記ウエット・チャネルの流路内に水を流下させる間接式気化式冷却装置で達成できる。【００１０】  本考案の間接式気化式冷却装置の給水構造は、多孔質プラスチック基盤を縦型に多数配列してドライ・チャネル、とウエット・チャネルを形成した冷却部への上からの水の供給が給水管、保水マット層および円形または三角形状の滴下孔を有する給水シートから構成される給水構造によって各多孔質プラスチックの基盤へ均一に行うことができる。特に、平面的に配置する給水シートの下側に各ウエット・チャネルに位置する個所に鋭角な剣先を多数配列するように給水シートをプレスにより滴下孔を形成し、この滴下孔の剣先の先端から適量の水が供給される（図３参照）。この給水シートの上面に多孔質、例えばスポンジのような保水層を載置し、この上に給水管を設けてあるので、均一な水の供給が行うことができる。【００１１】  本考案の間接式気化式冷却装置の給水構造の下部に配置される冷却部は、ウエット・チャネルとドライ・チャネルとでは空気���流れが対向する熱交換率がよい向流方式を採用する。【００１２】  また、本考案の間接式気化式冷却装置は、給水部と冷却部とを一体にしたユニットを縦に多数積重配列または横に配列して棚板方式によって各ユニットを重ねることもできる。それぞれのユニットの給水部にそれぞれ給水し、余剰の水は最下部の溜水部に集められ、ドレインを経由して排出される。従って、ユニットの数を調節することにより種々の大きさの間接式気化式冷却装置を設置することができる。【００１３】  本考案の間接式気化式冷却装置のウエット・チャネル内の多孔質プラスチック基盤の表面に繊維を植毛して保水層を形成してある。この繊維毛は静電植毛によって基盤面に容易に植えることができる。この繊維毛の表面に水を確実に長時間保水する吸着剤、シリカゲル、セラミック、スポンジ酸化チタンなどを塗布するとよい。特にスポンジ酸化チタンは好ましい。
【考案の効果】
【００１４】  本考案の間接式気化式冷却装置の給水構造は、縦型に配列した基盤群のウエット・チャネルの上方に給水シートや保水マット層と滴下孔を有する給水部が設置してあるので基盤に適量の水を供給することができる。特に、滴下孔の剣先から滴下するのでウエット・チャネル内への供給が最適である。
本考案の給水構造によれば、給水管から散水した水が保水マット層ないに蓄えられ、給水シートの滴下孔の剣先から滴下するので水の供給量を制御することにより基盤の保水量は最適である。【００１５】  本考案の給水構造は、簡易な構造であるから基盤を配列した冷却部と一体に形成し、ユニット化することができる。そのため小型に形成したユニットごと棚板などに積み重ね、横に４個程度配列することによりコンパクトな効率のよい間接式気化式冷却装置を提供できるから個人の住居にも設置可能で、いろいろの大きさに製造組み立てることができる。
例えば、図６に示されるように棚板の空間にユニットごと納入して間接式気化式冷却装置を製造できる。【００１６】  また、多孔質プラスチック基盤を所定間隔で配列し、ウエット・チャネルとドライ・チャネルを複数列形成した冷却部の箱内において、このドライ・チャネルに流入して冷却された空気が排出（給気部）する空気の一部をウエット・チャネル内に逆流させ、ウエット・チャネル内の気化現象生じさせて排気するようにして空気の流れが向流になっているから、効率よく冷却空気を発生することができるばかりでなく、ドライ・チャネルからの排気の一部をリターンさせてウエット・チャネル内に送り込む間接式気化式冷却装置に本考案の給水構造に採用することが好ましい。【００１７】  更に、本考案の間接式気化式冷却装置の冷却部に使用する多孔質プラスチック基盤の表面に形成した多数のスペーサーにより基盤間の間隔を確実に維持することができ、しかも、このスペーサーによる流体の流れによる乱気流を防止するくぼみ（ティンプル）を全面に形成することにより、安定した流体の流れを行うことができ、冷却効率がよい。
本考案の間接式気化式冷却装置のウエット・チャネル内には、多孔質プラスチック基盤の表面に繊維糸を植毛して形成してあるので、水分の保持力に優れ気化現象による効率がよい。
【図面の簡単な説明】
【００１８】
【図１】図１は本考案の給水構造の１実施例の分解斜視図である。
【図２】図２は保水シートの要部を示す平面図である。
【図３】図３は保水シートの説明図である。
【図４】図４は図１の給水構造を備える間接式気化式冷却装置の一部切断説明概略図である
【図５】図５は本考案給水構造の給水シートの他の実施例を示す斜視図である。
【図６】図６は図１の給水構造を備えた間接式気化式冷却装置の棚構造を示す概略図である。
【考案を実施するための形態】
【００１９】    本考案間接式気化式冷却装置の給水構造について、図面に示す実施形態に基づいて説明する。
本考案の給水構造は、冷却部Ｂの上面に載置する給水部Ａで、冷却部Ｂの上に木枠１０を介在して給水シート１を載置し、この給水シート１の底面には滴下孔１ａを多数あけてあり、その位置は冷却部Ｂのウエット・チャネルを形成する多孔質プラスチックの基盤５間に滴下する位置である。この滴下孔１ａの形状は三角形または円形であってもよい。この滴下孔１ａによって形成される剣先１ｂが下面側に突出してあり、この剣先１ｂから滴下することになる（図３参照）。
この給水シート１の上面側に多孔質のスポンジ状の保水マット層２が載置してある。この上に位置して給水管３を複数本配置している。この給水管３には多数の散水口４が穿ってあり、末端は水源に連接してある。
【００２０】  この給水構造の下に配置される冷却部Ｂは、図１に示されるように構成されている。多孔質プラスチックで形成され、表面に間隔調節部材であるスペーサーを多数配列してあり、このスペーサーの周囲には低い小さな凸部を多数形成してある基盤５を所定の間隔（スペーサーの高さ）で配列し、ウエット・チャネルとドライ・チャネルを形成してある。このドライ・チャネルには被冷却空気を流入し、ドライ・チャネルを通過して基盤との熱交換によって冷却されて排出して室内などに給気する。この排出した空気の一部が静圧によってウエット・チャネル内に流入し、基盤面の繊維毛に吸着している水を気化して通過して基盤の上部に設けた排気口から排気する。
【００２１】  水が供給されてウエット・チャネル内に冷却水が保持される。被冷却空気の流入側よりドライ・チャネル内に挿入する。このときウエット・チャネル内へはドライ・チャネルを通過した空気は排気側から排気されるがこの出口付近に９０〜１００パスカルの静圧を負荷し、排気された空気の一部がウエット・チャネル内にリターンしてウエット・チャネル内を通過した空気は基盤５の表面に吸着している水分の気化現象により基盤５を冷却する。この水分を含んだ空気は排気口より排気される。このようにしてドライ・チャネル内の空気は熱交換によって冷却される。この時基盤１に設けたくぼみ３により熱効率がよい。このようにして構成される間接式気化式冷却装置Ｃは、前記基盤５を水槽６内に縦型に配置して一定間隔で数枚配列してある。この基盤５の上に給水シート受け枠１０を載置して固定し、給水シート１を載置して構造を組み立てる。
【００２２】  本考案の給水構造の他の実施例は図５に示すような給水シート１のような円形の滴下孔１ａをプレスによって形成してもよい。この場合の三角形の大きさは２〜３ｍｍ程度が好ましい。
この給水シート１はプラスチックで製造することができるが、紙製であってもよい。大事な事は滴下孔１ａの剣先１ｂから水が滴下できる大きさであればよい。
【００２３】  本考案の冷却部に使用する基盤は、湿度・水分の移動があってはならないので、水を透さないポリプロピレン等のプラスチックを使用するのが好ましい。このプラスチックの隔壁は熱交換効率を最大にする為に、厚み０．３ｍｍ程度のものとする。
【００２４】  前記基盤は表面が滑面であるからプラスチックの板表面に、水を湿潤させる為の膜層が設けてある。この膜層としては織布又は不織布を使用する。材料はセルロース等の紙又はポリプロピレンが適当である。膜層の厚みとしては０．２ｍｍ〜０．５ｍｍ位が適当。この膜層をウエット・チャネルの側のプラスチック板の表面に接着若しくは、熱圧着により接合して基盤を構成する。
【００２５】  ウエット・チャネル側に導入する空気の量は、ドライ・チャネルを流れる空気量の３０〜５０％が適切である。ドライ・チャネルの出口側の機外静圧を変化させる事で、ドライ・チャネルから出てくる空気の一部をウエット・チャネルに流入させる。この場合、実験値によると機外静圧として、９０〜１００パスカル程度の静圧をかけると、ウエット・チャネルに約３０％の空気が流れ込む。又、ウエット・チャネルに流入した空気は、ウエット・チャネル内で気化現象を生じさせた後はウエット・チャネルの排気口より機外へ排気される。
【００２６】  図５に示す給水シートの実施例は、滴下孔１ａの形状を円形にしたもので、剣先１ｂは滴下孔１ａの周縁に形成される鋭角の突起物であり、例えば、プラスチックの「おろし金」の形状である。
【産業上の利用可能性】
【００２７】  本考案の給水構造は、間接式気化式冷却装置における安定して確実にウエット・チャネルに供給できる給水構造で、簡易な構成であるから製造が容易に、コンパクトに製造できる。しかも、ユニット方式にして間接式気化式冷却装置の設置場所でいろいろな大きさに簡易に組み立てができる。
【符号の説明】
【００２８】  １    給水シート
１ａ    滴下孔
１ｂ    剣先
２    保水マット層
３    給水管
４    散水口
５    基盤
６    水槽
７    流入口
８    排気口
９    ドレイン
１０    給水シート受け枠
１１    給水シート押さえ板
Ａ    給水部
Ｂ    冷却部
Ｃ    間接式気化式冷却装置
【図１】
0003157602.tif 000003
【図２】
0003157602.tif 000004
【図３】
0003157602.tif 000005
【図４】
0003157602.tif 000006
【図５】
0003157602.tif 000007
【図６】
0003157602.tif 000008